(57)【要約】【課題】設置位置の自由度が得られ、さらには軽量化が可能な構成を備えビニールハウスなどに適用可能な樋支持具を提供する。【解決手段】ビニールハウスの棟方向に設けられたチャンネル部材よりなるシート止め材に懸垂支持部で嵌合して雨樋を支持するための樋支持具１であって、角棒２と、角棒２に対してスライド可能に装填されている支持部本体３と、支持部本体３に挿通して先端が角棒２の外表面に突き当たることが可能な締結部材４と、支持部本体３に一体化されて雨樋の外形に倣った形状とされた樋受け部５とを備え、角棒２の長手方向一端には回転体が懸垂支持部７として設けられている。【選択図】図１
2010229719.tif 000002
【特許請求の範囲】
【請求項１】
雨樋を支持するための樋支持具であって、
角棒と、該角棒に対してスライド可能に装填されている支持部本体と、該支持部本体に挿通して先端が前記角棒外表面に突き当たることが可能な締結部材と、前記支持部本体に一体化されて雨樋の外形に倣った形状とされた樋受け部とを備え、
前記角棒の長手方向一端は移動可能な懸垂支持部として用いられることを特徴とする樋支持具。
【請求項２】
請求項１記載の樋支持具において、
前記角棒の懸垂支持部には回転体が設けられており、該回転体がこれを受ける嵌合部内で移動可能に支持され、
前記支持部本体は、前記角棒の長手方向に沿ってスライドした位置で前記締結部材によって締結されることにより保持され、
前記回転体を受ける嵌合部として、ビニールハウスのシート止め材が用いられることを特徴とする樋支持具。
【発明の詳細な説明】
【技術分野】
【０００１】
本発明は、樋支持具に関し、さらに詳しくは、ビニールハウスに用いられる樋受け構造に関する。
【背景技術】
【０００２】
ビニールハウスには、降雨の際の水滴が地上に溜まるのを防いで利水のために集水することがあり、このための構成として、雨樋をビニールハウス側面で棟方向に延長して設けることが多い。
【０００３】
雨樋を支持する構成としては、ビニールハウスのシート止め材を利用した構成が提案されている（例えば、特許文献１）。
特許文献１には、ビニールハウスのビニールを張り付けて止めるために用いられる、側部断面形状が略チャンネル状のシート止め材と、シート止め材内に一片が固定されて断面形状が倒れたＺ字形状に形成された樋受け部材とを設け、樋受け部材の一部に雨樋の外形に倣った形状とされた集水可能な樋本体を設けた構成が開示されている。
【先行技術文献】
【特許文献】
【０００４】
【特許文献１】特開２００７−３１９１０２号公報
【発明の概要】
【発明が解決しようとする課題】
【０００５】
特許文献１に開示されている構成には、ビニールハウスのシート止め材を利用することで改めて雨樋の設置部材や設置箇所を付加する必要がない利点がある反面、次の不具合がある。
樋受け部材は、板金加工などに加工された成形品であり、棟方向の長さに合わせて切断したものが用いられるようになっている。このため、ビニールハウスの側壁面での高さ方向の位置が固定されてしまうばかりでなく、棟方向に延長される必要があることから、重量もかなり重くなる。
従って、ビニールハウスの形状、換言すれば、屋根や側面の形状に応じた効果的な集水位置の設定が難しくなるばかりでなく、樋本体から受ける重量を支えるだけの剛性がビニールハウスの構造部に必要となることによってコスト上昇を招くなどの問題が生じる。
【０００６】
本発明の目的は、上記従来の樋支持具、特にビニールハウスに適用される樋支持具における問題に鑑み、設置位置の自由度が得られ、さらには軽量化が可能な構成を備えた樋支持具を提供することにある。
【課題を解決するための手段】
【０００７】
この目的を達成するため、本発明は次の構成よりなる。
（１）雨樋を支持するための樋支持具であって、
角棒と、該角棒に対してスライド可能に装填されている支持部本体と、該支持部本体に挿通して先端が前記角棒外表面に突き当たることが可能な締結部材と、前記支持部本体に一体化されて雨樋の外形に倣った形状とされた樋受け部とを備え、
前記角棒の長手方向一端は移動可能な懸垂支持部として用いられることを特徴とする樋支持具。
【０００８】
（２）前記角棒の懸垂支持部には回転体が設けられており、該回転体がこれを受ける嵌合部内で移動可能に支持されることを特徴とする（１）に記載の樋支持具。
【０００９】
（３）前記支持部本体は、前記角棒の長手方向に沿ってスライドした位置で前記締結部材によって締結されることにより保持されることを特徴とする（１）または（２）に記載の樋支持具。
【００１０】
（４）前記回転体を受ける嵌合部として、ビニールハウスのシート止め材が用いられることを特徴とする（２）に記載の樋支持具。
【発明の効果】
【００１１】
本発明によれば、支持部本体が角棒に装填されているので、不用意な回転を生じることがなく、樋受け部の向きが不用意に変化して雨樋の支持状態が変化するのを防止することができる。
加えて、角棒に設けられている支持部本体をスライドさせることで角棒の長手方向での位置調整が行われ、また、懸垂支持部を移動させることができるので、雨樋の支持位置を自由に調整してその位置に保持することができる。
特に、懸垂支持部は、嵌合部内で転動可能な回転体を備えているので、移動に際しての抵抗を少なくすることができる。
【図面の簡単な説明】
【００１２】
【図１】本発明による樋支持具の全体構成を示す斜視図である。
【図２】図１に示した樋支持具の設置状態を示すビニールハウスの要部外観図である。
【発明を実施するための形態】
【００１３】
以下、図面により本発明を実施するための形態を実施例として説明する。
図１は、本発明による樋支持具の全体構成を示す図である。
同図において樋支持具１は、角棒２と支持部本体３と締結部材４と樋受け部５とを備えている。
【００１４】
角棒２には、支持部本体３が嵌め込まれることにより、この支持部本体３がスライド可能かつ、回転不能な状態が得られる。
支持部本体３には、締結部材４として用いられる蝶ボルトが挿通されており、この蝶ボルト４の先端が角棒２の外表面に突き当たるようになっている。
支持部本体３は、角棒２の長手方向に沿ってスライドした位置で蝶ボルト４によって締め付けられると、その位置で保持されることになる。
【００１５】
支持部本体３には、樋受け部５が一体化されており、樋受け部５は、雨樋の外形に倣った形状の湾曲部を備え、湾曲部に雨樋が搭載されることにより雨樋を支持するようになっている。なお、図１において符号６は、樋受け部５の湾曲部の一方側端部で、雨樋の上端の一方を押さえる片部材を示しており、この片部材６は、カシメ等により一体化されている。
【００１６】
角棒２の長手方向一端は、懸垂支持部として構成されており、この懸垂支持部には回転体７が用いられ、回転体７は、ビニールハウスに用いられるビニールを迂回させることにより張り付けて止めるシート止め材等のチャンネル部材（図２において符号１０１で示す部材）内に嵌合される部材であり、チャンネル部材１０１内で移動する際に転動できるようになっている。これにより、角棒２をチャンネル部材１０１の棟方向に移動させる際には、回転体７が転動するので、スライドする場合と違って抵抗などを生じることなく移動させることができる。
【００１７】
上記構成においては、蝶ボルト４を緩めることで支持部本体３を角棒２の長手方向にスライドすることができるので、その方向（図２において符号Ｖで示す方向）での位置を調整することができ、また、角棒２の懸垂支持部に有する回転体７を転動させて角棒２を移動させることにより、角棒２の懸垂方向と同一面で直角な方向（図２において符号Ｈで示す方向）での位置を調整することができる。
【００１８】
図２は、本発明による樋支持具１をビニールハウス１００に適用した状態を示しており、同図において、ビニールハウス１００の棟方向に沿って延長されている、断面形状がチャンネル状のシート止め材１０１内に、角棒２の懸垂支持部に設けられている回転体７が装填される。なお、図２において符号１００Ａは、ビニールを示している。
【００１９】
図２において、支持部本体３は、ビニールハウス１００の屋根形状、つまり、屋根の湾曲形状などに対して雨水を効率よく受けることができる位置、つまり、縦方向の位置に位置決めされる。この場合には、蝶ボルト４を緩めて位置決めが終わると締め付けることにより支持部本体３の位置を保持することができる。このような縦方向の位置決めは、雨樋１０２の延長方向での高さを各支持部本体３同士の位置で整合させる際の位置調整にも用いられる。なお、図２において二点鎖線で示す状態は、雨樋１０２を縦方向に移動させた状態を示している。
【００２０】
また、雨樋１０２の延長方向での支持位置は、角棒２の懸垂支持部に設けられている回転体７をシート止め材１０１内で転動させながら移動することで調整することができる。
雨樋１０２の延長方向での支持位置調整は、雨樋の支持位置間の距離によって雨樋が下方に撓むことがないようにするうえで好都合である。
【００２１】
以上のような実施例においては、ビニールハウス１００に設けられる雨樋１０２の支持位置調整が簡単に行えると共に、雨樋１０２の延長方向で複数箇所の支持が可能となるので、ビニールハウス１００への重量負担をさほど増加させることがなく、ビニールハウス１００での剛性強化のための対策を特別に必要とすることがない。これにより、雨樋設置による重量負担の軽減や位置調整の自由度が得られることになる。
【符号の説明】
【００２２】
１  樋支持具
２  角棒
３  支持部本体
４  締結部材（蝶ボルト）
５  樋受け部
７  懸垂支持部に有する回転体
１００  ビニールハウス
１００Ａ  ビニール
１０１  シート止め材（チャンネル部材）
１０２  雨樋
【図１】
2010229719.tif 000003
【図２】
2010229719.tif 000004
【手続補正書】
【提出日】平成22年1月8日(2010.1.8)
【手続補正１】
【補正対象書類名】明細書
【補正対象項目名】０００７
【補正方法】変更
【補正の内容】
【０００７】
この目的を達成するため、本発明は次の構成よりなる。
（１）ビニールハウスの棟方向に設けられたチャンネル部材よりなるシート止め材に懸垂支持部で嵌合して雨樋を支持するための樋支持具であって、
角棒と、
前記角棒に対してスライド可能に装填されている支持部本体と、
前記支持部本体に挿通して先端が前記角棒外表面に突き当たることが可能な締結部材と、
前記支持部本体に一体化されて雨樋の外形に倣った形状とされた樋受け部とを備え、
前記懸垂支持部は前記角棒の一端に設けられた回転体であり前記チャンネル部材に嵌合して移動可能に設けられていることを特徴とする樋支持具。
【手続補正２】
【補正対象書類名】明細書
【補正対象項目名】０００８
【補正方法】変更
【補正の内容】
【０００８】
（２）（１）に記載の樋支持具において、
前記支持部本体は、前記角棒の長手方向に沿ってスライドした位置で前記締結部材によって締結されることにより保持されていることを特徴とする樋支持具。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明によれば、支持部本体が角棒に装填されているので、不用意な回転を生じることがなく、樋受け部の向きが不用意に変化して雨樋の支持状態が変化するのを防止することができる。
加えて、角棒に設けられている支持部本体をスライドさせることで角棒の長手方向での位置調整が行われ、また、懸垂支持部を移動させることができるので、雨樋の支持位置を自由に調整してその位置に保持することができる。
特に、懸垂支持部は、嵌合部内で転動可能な回転体であり、移動に際しての抵抗を少なくすることができる。
【手続補正６】
【補正対象書類名】明細書
【補正対象項目名】００１６
【補正方法】変更
【補正の内容】
【００１６】
角棒２の長手方向一端は、懸垂支持部７として構成されており、この懸垂支持部７として回転体が用いられ、回転体は、ビニールハウスに用いられるビニールを迂回させることにより張り付けて止めるシート止め材等のチャンネル部材（図２において符号１０１で示す部材）内に嵌合される部材であり、チャンネル部材１０１内で移動する際に転動できるようになっている。これにより、角棒２をチャンネル部材１０１の棟方向に移動させる際には、回転体が転動するので、スライドする場合と違って抵抗などを生じることなく移動させることができる。
【手続補正７】
【補正対象書類名】明細書
【補正対象項目名】００１７
【補正方法】変更
【補正の内容】
【００１７】
上記構成においては、蝶ボルト４を緩めることで支持部本体３を角棒２の長手方向にスライドすることができるので、その方向（図２において符号Ｖで示す方向）での位置を調整することができ、また、角棒２の懸垂支持部７である回転体を転動させて角棒２を移動させることにより、角棒２の懸垂方向と同一面で直角な方向（図２において符号Ｈで示す方向）での位置を調整することができる。
【手続補正８】
【補正対象書類名】明細書
【補正対象項目名】００１８
【補正方法】変更
【補正の内容】
【００１８】
図２は、本発明による樋支持具１をビニールハウス１００に適用した状態を示しており、同図において、ビニールハウス１００の棟方向に沿って延長されている、断面形状がチャンネル状のシート止め材１０１内に、角棒２の懸垂支持部７である回転体が装填される。なお、図２において符号１００Ａは、ビニールを示している。
【手続補正９】
【補正対象書類名】明細書
【補正対象項目名】００２０
【補正方法】変更
【補正の内容】
【００２０】
また、雨樋１０２の延長方向での支持位置は、角棒２の懸垂支持部７である回転体をシート止め材１０１内で転動させながら移動することで調整することができる。
雨樋１０２の延長方向での支持位置調整は、雨樋の支持位置間の距離によって雨樋が下方に撓むことがないようにするうえで好都合である。
【手続補正１０】
【補正対象書類名】明細書
【補正対象項目名】００２２
【補正方法】変更
【補正の内容】
【００２２】
１  樋支持具
２  角棒
３  支持部本体
４  締結部材（蝶ボルト）
５  樋受け部
７  懸垂支持部（回転体）
１００  ビニールハウス
１００Ａ  ビニール
１０１  シート止め材（チャンネル部材）
１０２  雨樋
【手続補正１１】
【補正対象書類名】特許請求の範囲
【補正対象項目名】全文
【補正方法】変更
【補正の内容】
【特許請求の範囲】
【請求項１】
ビニールハウスの棟方向に設けられたチャンネル部材よりなるシート止め材に懸垂支持部で嵌合して雨樋を支持するための樋支持具であって、
角棒と、
前記角棒に対してスライド可能に装填されている支持部本体と、
前記支持部本体に挿通して先端が前記角棒外表面に突き当たることが可能な締結部材と、
前記支持部本体に一体化されて雨樋の外形に倣った形状とされた樋受け部とを備え、
前記懸垂支持部は前記角棒の一端に設けられた回転体であり前記チャンネル部材に嵌合して移動可能に設けられていることを特徴とする樋支持具。
【請求項２】
請求項１記載の樋支持具において、
前記支持部本体は、前記角棒の長手方向に沿ってスライドした位置で前記締結部材によって締結されることにより保持されていることを特徴とする樋支持具。